(57)【要約】【課題】  外観を損なうことなく造形機能を保持するとともに、水切れがよく着用感に優れた水着を提供すること。【解決手段】水着ボトム１は、第１ボトム２と第１ボトム２の内側に形成された第２ボトム３とを備える。第２ボトム３は、着用状態で、ウェスト部から臀部の上部までを覆う左右上部パーツ１３ａ、１３ｂと、臀部の頂点を覆う左右下部パーツ１４ａ、１４ｂと、ウェスト部から臀裂部一帯を覆う臀裂部被覆領域１５Ａ及び臀裂部下端から臀溝部に沿って両側に伸びる部分を覆う臀部サポート領域１５Ｂを有する引き上げパーツ１５とを含む。左右下部パーツ１４ａ、１４ｂ、左右上部パーツ１３ａ、１３ｂ、及び引き上げパーツ１５は、この順で後のものほど緊締力が大きくなるように、一体に編まれている。また、着用状態における脚部側で第１ボトム２と第２ボトム３とは縫合されていない部分を有する。【選択図】  図３
2007107163.tif 000002
【特許請求の範囲】
【請求項１】
表地で形成された第１ボトム及び当該第１ボトムの内側に裏地によって形成された第２ボトムを備える水着ボトムであって、
前記第２ボトムは、着用状態でウェスト部から左臀部の上部までを覆う左上部パーツと、着用状態でウェスト部から右臀部の上部までを覆う右上部パーツと、着用状態で左臀部の頂点を覆う左下部パーツと、着用状態で右臀部の頂点を覆う右下部パーツと、着用状態でウェスト部から臀裂部一帯を覆う領域及び当該領域と連続し且つ着用状態で臀裂部下端から臀溝部に沿って両側に伸びる部分を覆う領域を有する引き上げパーツと、を含み、
前記第２ボトムに含まれる前記左上部パーツ、前記右上部パーツ、前記左下部パーツ、前記右下部パーツ、及び前記引き上げパーツはすべて一体に編まれており、
前記左上部パーツ及び前記右上部パーツは前記左下部パーツ及び前記右下部パーツより緊締力が大きく且つ前記引き上げパーツは前記左上部パーツ及び前記右上部パーツより緊締力が大きいとともに、着用状態における脚部側で前記第１ボトムと前記第２ボトムとが少なくとも一部において縫合されていないことを特徴とする水着ボトム。
【請求項２】
着用状態における脚部側で前記第１ボトムと前記第２ボトムとが一部において縫合されていることを特徴とする請求項１記載の水着ボトム。
【請求項３】
着用状態における脚部側で、前記第２ボトムが前記第１ボトムより短いことを特徴とする請求項１又は請求項２記載の水着ボトム。
【請求項４】
前記第２ボトムは、着用状態で腹部を覆う腹部パーツを含み、
前記腹部パーツは当該腹部パーツに連続する前記第２ボトムの他の部分よりも緊締力が大きいことを特徴とする請求項１〜３のいずれか一項記載の水着ボトム。
【発明の詳細な説明】
【技術分野】
【０００１】
本発明は、水着ボトムに関するものである。
【背景技術】
【０００２】
近年、セパレートタイプの水着のボトムに対し、ヒップアップ効果等の造形機能の要求が高まっている。特許文献１では、裏地を備えることで水着に造形機能を持たせることが検討されている。特許文献１に記載された水着は、表地と伸縮性の異なる複数のパーツを縫製して形成された裏地とを二重に縫製することで、造形効果を発揮する。
【特許文献１】実公平２−３５７６５号公報
【発明の開示】
【発明が解決しようとする課題】
【０００３】
特許文献１に記載された水着では、造形機能を発揮するために、複数のパーツが縫製されて形成された裏地を備える。そのため、水着として着用した際、パーツ間の縫い目が表に浮き出てしまい、外観を損なう。
【０００４】
また、水着を着用してプール等に入ると、水が水着内、さらには水着と身体との間に侵入する。こうして侵入した水が水着内に、あるいは水着と身体との間にとどまると水中で身体が重くなり泳ぎにくくなる。また、水から出た後も不快な着用感が続いてしまう。
【０００５】
特許文献１に記載された水着は、表地と裏地とが二重に縫製されて形成されている。そのため、表地と裏地との間にとどまった水は出口がなく、水着の中にとどまりがちとなってしまう。このことにより、特許文献１に記載の水着ボトムの着用感は、大いに損なわれてしまう。
【０００６】
本発明は、上記問題点を解消するためになされたものであり、外観を損なうことなく造形機能を保持するとともに、水切れがよく着用感に優れた水着を提供することを目的とする。
【課題を解決するための手段】
【０００７】
このような目的を達成するために、本発明に係る水着ボトムは、表地で形成された第１ボトム及び当該第１ボトムの内側に裏地によって形成された第２ボトムを備える水着ボトムであって、第２ボトムは、着用状態でウェスト部から左臀部の上部までを覆う左上部パーツと、着用状態でウェスト部から右臀部の上部までを覆う右上部パーツと、着用状態で左臀部の頂点を覆う左下部パーツと、着用状態で右臀部の頂点を覆う右下部パーツと、着用状態でウェスト部から臀裂部一帯を覆う領域及び当該領域と連続し且つ着用状態で臀裂部下端から臀溝部に沿って両側に伸びる部分を覆う領域を有する引き上げパーツと、を含み、第２ボトムに含まれる左上部パーツ、右上部パーツ、左下部パーツ、右下部パーツ、及び引き上げパーツはすべて一体に編まれており、左上部パーツ及び右上部パーツは左下部パーツ及び右下部パーツより緊締力が大きく且つ引き上げパーツは左上部パーツ及び右上部パーツより緊締力が大きいとともに、着用状態における脚部側で第１ボトムと第２ボトムとが少なくとも一部において縫合されていないことを特徴とする。
【０００８】
上記の水着ボトムは、それぞれ緊締力の異なる左及び右上部パーツ、左及び右下部パーツ、並びに引き上げパーツを含み、これらが互いに有機的に関連するため、より高い造形機能を発揮することができる。また、特許文献１に記載された水着の裏地は複数のパーツが縫製されて形成されているのに対し、上記の水着ボトムの第２ボトムに含まれる左及び右上部パーツ、左及び右下部パーツ、並びに引き上げパーツは、一体に編まれている。そのため、これらのパーツ間には水着として着用した時に表に浮き出る縫い目ができず、縫い目によって外観が損なわれることが抑制される。また、上記の水着ボトムの第１及び第２ボトムは、着用状態における脚部側で少なくとも一部において縫い合わせされていない。そのため、第１ボトムと第２ボトムとの間に侵入した水は、縫い合わされていない箇所から外に流れ出ることができる。その結果、上記の水着ボトムでは、水切れがよく、良好な着用感を実現することが可能となる。また、上記の水着ボトムの第１及び第２ボトムは、上述したように脚部側で少なくとも一部において縫い合わせされていない。そのため、第１ボトムと第２ボトムとの縫合によってしわがより、水着の外観を損なうことを抑制できる。
【０００９】
着用状態における脚部側で第１ボトムと第２ボトムとが一部において縫合されていることが好ましい。この場合、水切れの良さを保ちつつ、着用時に第１ボトムと第２ボトムとがずれることを好適に防ぐことができる。
【００１０】
着用状態における脚部側で、第２ボトムが第１ボトムより短いことが好ましい。この場合、第１ボトムの脚部側縁部より第２ボトムの脚部側縁部の方が大腿部の太い箇所を締め付けることになる。そのため、大腿部は第２ボトムの脚部側縁部によって強く締め付けられる。これにより、臀部及び大腿部がより一層上に引き上げられる。
【００１１】
第２ボトムは、着用状態で腹部を覆う腹部パーツを含み、腹部パーツは当該腹部パーツに連続する第２ボトムの他の部分よりも緊締力が大きいことが好ましい。このような腹部パーツを含むことによって、腹部の造形を美しく見せることが可能となる。
【発明の効果】
【００１２】
本発明によれば、外観を損なうことなく造形機能を保持するとともに、水切れがよく着用感に優れた水着を提供することができる。
【発明を実施するための最良の形態】
【００１３】
以下、図面とともに本発明による水着ボトムの好適な実施形態について詳細に説明する。なお、図面の説明において同一要素には同一符号を付し、重複する説明を省略する。また、図面の寸法比率は、説明のものと必ずしも一致していない。
【００１４】
図１は、着用状態における実施形態に係る水着ボトムの前面側を示す図である。実施形態に係る水着ボトム１は、表地で形成された第１ボトム２と裏地によって形成された第２ボトム３とを備える。図１は、第１ボトム２側から見た水着ボトム１を示す。なお、図１、図３、及び図４における点線は縫い目を表す。
【００１５】
第１ボトム２は、前面側及び後面側の双方において、着用状態でウェスト部から両脚に向って伸び、さらに両脚に沿って伸びて大腿部の一部を覆う。
【００１６】
図２〜図４は、第２ボトム３側から見た水着ボトム１を示す。図２〜図４では、水着ボトム１の裏地側である第２ボトム３を説明する便宜上、水着ボトム１を通常の着用状態ではなく、裏返して着用した状態で示している。図２に表された水着ボトム１は、着用状態で前面側３Ａから見た図である。図３に表された水着ボトム１は、着用状態で後面側３Ｂから見た図である。図４は、水着ボトム１の着用状態における後面側３Ｂの斜視図である。第２ボトム３は、第１ボトム２の内側に形成されており、着用状態でウェスト部に対応する部分W、脇部に対応する部分Ｓ及び後述の後面側中心上部Ｃで第１ボトム２と縫合されている。
【００１７】
水着ボトム１の第２ボトム３は、図２に示すように、前面側３Ａにおいて前身頃パーツ１１と前身頃パーツ１１の一部に形成された腹部パーツ１２とを有する。腹部パーツ１２は、前身頃パーツ１１の一部として一体に編まれている。前身頃パーツ１１は、着用状態でウェスト部から両脚に向って伸び、さらに両脚に沿って伸びて大腿部の一部を覆う。腹部パーツ１２は、その周囲の前身頃パーツ１１と連続し、着用状態で腹部を覆う。また、腹部パーツ１２は、腹部パーツ１２に連続する前身頃パーツ１１よりも緊締力が大きい。
【００１８】
また、前面側３Ａにおいて、着用状態における脚部側で、第２ボトム３は第１ボトム２より短い。すなわち、着用状態において、第２ボトム３の脚部側縁部３ｅは第１ボトム２の脚部側縁部２ｅより大腿部の上部に位置する。
【００１９】
水着ボトム１の第２ボトム３は、図３及び図４に示すように、後面側３Ｂにおいて一対の上部パーツである左上部パーツ１３ａ及び右上部パーツ１３ｂと、一対の下部パーツである左下部パーツ１４ａ及び右下部パーツ１４ｂと、引き上げパーツ１５と、脚部パーツ１６と、股下パーツ１７とを有する。左上部パーツ１３ａは、着用状態における後面側３Ｂでウェスト部から左臀部の上部（左臀部の頂点より上方の部分）までの一帯を覆う。上部パーツ１３ｂは、着用状態における後面側３Ｂでウェスト部から右臀部の上部（右臀部の頂点より上方の部分）までの一帯を覆う。左上部パーツ１３ａの一方の脇の縁は、前身頃パーツ１１の一方の脇の縁（着用状態で脇部に対応する部分Ｓ）にまで達する。右上部パーツ１３ｂの一方の脇の縁は、前身頃パーツ１１の他方の脇の縁（着用状態で脇部に対応する部分Ｓ）にまで達する。
【００２０】
左下部パーツ１４ａは、着用状態で左臀部の頂点付近、すなわち、左臀部の中部及び下部を覆う。左上部パーツ１３ａと左下部パーツ１４ａとは、左上部パーツ１３ａの下縁及び左下部パーツ１４ａの上縁において連続しており、一体となって左臀部を覆う。
【００２１】
右下部パーツ１４ｂは、着用状態で右臀部の頂点付近、すなわち、右臀部の中部及び下部を覆う。右上部パーツ１３ｂと右下部パーツ１４ｂとは、右上部パーツ１３ｂの下縁及び右下部パーツ１４ｂの上縁において連続しており、一体となって右臀部を覆う。
【００２２】
引き上げパーツ１５は、臀裂部被覆領域１５Ａと、臀裂部被覆領域１５Ａに連続する臀部サポート領域１５Ｂとを有する。臀裂部被覆領域１５Ａは、着用状態でウェスト部から臀裂部一帯を覆う領域である。臀裂部被覆領域１５Ａは、左上部パーツ１３ａと右上部パーツ１３ｂとの間であって、且つ左下部パーツ１４ａと右下部パーツ１４ｂとの間に位置する。
【００２３】
臀部サポート領域１５Ｂは、着用状態で臀裂部下端から臀溝部に沿って両側に伸びる部分を覆う領域である。より具体的には、臀部サポート領域１５Ｂは、一対の下部パーツ１４ａ、１４ｂの双方の下縁及び臀裂部とは反対側の脇の縁に沿った一帯から前身頃パーツ１１の両脇の縁（着用状態で各脇部に対応する部分Ｓ）までの一帯を、上部パーツ１３ａ、１３ｂの下縁に達するように覆う領域である。
【００２４】
左右下部パーツ１４ａ、１４ｂ、左右上部パーツ１３ａ、１３ｂ、並びに引き上げパーツ１５は、この順で後のものほど緊締力が大きい。すなわち、左上部パーツ１３ａ及び右上部パーツ１３ｂは、左下部パーツ１４ａ及び右下部パーツ１４ｂより緊締力が大きい。引き上げパーツ１５は、左上部パーツ１４ａ及び右下部パーツ１４ｂより緊締力が大きい。
【００２５】
脚部パーツ１６は、引き上げパーツ１５の臀部サポート領域１５Ｂから両脚に沿って伸びる。脚部パーツ１６は、両脚の大腿部の一部を覆う。前身頃パーツ１１及び脚部パーツ１６が両脚に沿って伸びる長さ、すなわち第２ボトム３が両脚に沿って伸びる長さは、第１ボトム２が両脚に沿って伸びる長さよりも短い。したがって、後面側３Ｂにおいて、着用状態における脚部側で、第２ボトム３は第１ボトム２より短い。すなわち、着用状態において、第２ボトム３の脚部側縁部３ｅは第１ボトム２の脚部側縁部２ｅより大腿部の上部に位置する。
【００２６】
水着ボトム１の第２ボトム３は、図３及び図４に示すように、ウェスト部Ｗ以外に、着用状態における脇部に対応する部分Ｓ及び後面側中心上部Ｃで、第１ボトム２と縫合されている。後面側中心上部Ｃでの縫合は、引き上げパーツ１５の臀裂部被覆領域１５Ａ内での縫合であって、着用状態におけるウェスト部Ｗから臀裂部上部までに沿った縫合である。なお、図４においては、第２ボトム３に含まれる各パーツ（後述）の境界線と重なる脇部に対応する部分Ｓの縫い目については、点線による図示を省略し、パーツの境界線を表す一点鎖線による図示を優先している。
【００２７】
第２ボトム３の脚部パーツ１６は、第１ボトム２と縫合されていない。すなわち、第２ボトム３は、着用状態における脚部側で第１ボトム２と一部において縫合されていない。
【００２８】
股下パーツ１７は、着用状態で股下部、より具体的にはクロッチ部から第１ボトム２の裾口までを覆うように形成されている。また、股下パーツ１７は、第１ボトム２と縫合されている。すなわち、第２ボトム３は、着用状態における脚部側で第１ボトム２と一部において縫合されているといえる。
【００２９】
第２ボトム３に含まれる左及び右上部パーツ１３ａ、１３ｂ、左及び右下部パーツ１４ａ、１４ｂ、引き上げパーツ１５、並びに脚部パーツ１６は一体に編まれている。
【００３０】
また、第２ボトム３の前面側３Ａと後面側３Ｂとは脇において縫合されている。すなわち、上部パーツ１３ａ、引き上げパーツ１５の臀部サポート領域１５Ｂ、及び脚部パーツ１６それぞれと前身頃パーツ１１とが縫合されている。上部パーツ１３ｂ、引き上げパーツ１５の臀部サポート領域１５Ｂ、及び脚部パーツ１６それぞれと前身頃パーツ１１とが縫合されている。
【００３１】
図５〜図８を参照して、第２ボトム３の製造方法について説明する。まず、図５に示すように、第２ボトム３の前面側３Ａが配置された筒状の第１丸編み地Ｆ１を形成する。図５は、第２ボトム３の前面側３Ａが配置された第１丸編み地Ｆ１を示す。第１丸編み地Ｆ１に形成された前面側３Ａに相当する部分には、前身頃パーツ１１及びその一部の腹部パーツ１２が形成されている。前身頃パーツ１１及び腹部パーツ１２は一体に編み上げられている。なお、第１丸編み地Ｆ１は、丸編み機によって編み上げられる。
【００３２】
さらに、図６に示すように、第２ボトム３の後面側３Ｂが配置された筒状の第２丸編み地Ｆ２を形成する。図６は、第２ボトム３の後面側３Ｂが配置された第２丸編み地Ｆ２を示す。第２丸編み地Ｆ２に形成された第２ボトム３の後面側３Ｂに相当する部分には、左及び右上部パーツ１３ａ、１３ｂ、左及び右下部パーツ１４ａ、１４ｂ、引き上げパーツ１５、並びに脚部パーツ１６が形成されている。左及び右上部パーツ１３ａ、１３ｂ、左及び右下部パーツ１４ａ、１４ｂ、引き上げパーツ１５、並びに脚部パーツ１６は一体に編み上げられている。なお、第２丸編み地Ｆ２は、丸編み機によって編み上げられる。
【００３３】
次に、筒状の第１丸編み地Ｆ１を裁断線Ｌ１（図５参照）で裁断し、平面状にする。裁断線Ｌ１は、第２ボトム３の前面側３Ａに相当する部分を横切らない。さらに、裁断線Ｌ１は、筒状の第１丸編み地Ｆ１の高さ方向で見た場合の前面側３Ａに相当する部分の中心線と、筒状の第１丸編み地Ｆ１の高さ方向の中心軸を挟んで対向する位置をずれて位置する。図７は、裁断された第１丸編み地Ｆ１を示す。こうして裁断された第１丸編み地Ｆ１を拡げることにより、図７に示すように、第１丸編み地Ｆ１は１枚の平面状の生地となる。平面状になった第１丸編み地Ｆ１を裁断線Ｌ３で裁断することにより、第２ボトム３の前面側３Ａ、すなわち前身頃パーツ１１及び腹部パーツ１２が得られる。平面状になった第１丸編み地Ｆ１のうち、第２ボトム３の前面側３Ａを裁断した残りの部分を裁断線Ｌ４に沿って裁断することにより、股下パーツ１７が得られる。裁断線Ｌ３、Ｌ４は、型紙によって決定される。
【００３４】
続いて、筒状の第２丸編み地Ｆ２を裁断線Ｌ２（図６参照）で裁断し、平面状にする。裁断線Ｌ２は、第２ボトム３の後面側３Ｂに相当する部分を横切らない。図８は、裁断された第２丸編み地Ｆ２を示す。こうして裁断された第２丸編み地Ｆ２を拡げることにより、図８に示すように、第２丸編み地Ｆ２は１枚の平面状の生地となる。平面状になった第２丸編み地Ｆ２を裁断線Ｌ５で裁断することにより、第２ボトム３の後面側３Ｂ、すなわち左及び右上部パーツ１３ａ、１３ｂ、左及び右下部パーツ１４ａ、１４ｂ、引き上げパーツ１５、並びに脚部パーツ１６が得られる。裁断線Ｌ５は、型紙によって決定される。
【００３５】
第１丸編み地Ｆ１から裁断された股下パーツ１７を介して、第１ボトム２及び第２ボトム３は縫合される。さらに、第２ボトム３の前面側３Ａ及び後面側３Ｂは、着用状態におけるウェスト部に対応する部分、脇部に対応する部分及び後面側中心上部で縫合される。
【００３６】
実施形態に係る水着ボトム１は、それぞれ緊締力の異なる左及び右上部パーツ１３ａ、１３ｂ、左及び右下部パーツ１４ａ、１４ｂ、並びに引き上げパーツ１５を含む。左右の臀部の各頂点を覆う各下部パーツ１４ａ、１４ｂは、最も緊締力が小さい。そのため、左及び右下部パーツ１４ａ、１４ｂによって左及び右臀部の丸みがつぶされることが抑制される。
【００３７】
臀裂部被覆領域１５Ａ及び臀部サポート領域１５Ｂを有する引き上げパーツ１５は、最も緊締力が大きい。すなわち、臀裂部下端から臀溝部に沿って両側に伸びる部分を覆う臀部サポート領域１５Ｂを、ウェスト部から臀裂部一帯を覆う臀裂部被覆領域１５Ａがウェスト方向に強力に引っ張り上げる。そのため、引き上げパーツ１５によって、臀部は下から上に強力に引き上げられる。
【００３８】
ウェスト部から左右の臀部それぞれの上部までを覆う上部パーツ１３ａ、１３ｂは、左及び右下部パーツ１４ａ、１４ｂよりも緊締力が大きく、且つ引き上げパーツ１５より緊締力が小さい。したがって、左及び右上部パーツ１３ａ、１３ｂの緊締力が左及び右下部パーツ１４ａ、１４ｂの緊締力と同程度以下の場合に比べ、水着ボトム１ではより一層臀部が強調されるため、美しい造形を示すことが可能となる。また、左及び右上部パーツ１３ａ、１３ｂの緊締力が引き上げパーツ１５の緊締力と同程度以上の場合に比べ、水着ボトム１では臀部全体がより一層上方に引き上げられるため、美しい造形を示すことが可能となる。
【００３９】
このように水着ボトム１では、それぞれ緊締力の異なる左及び右上部パーツ、左及び右下部パーツ、並びに引き上げパーツが、互いに有機的に関連して、より高い造形効果を発揮することができる。
【００４０】
水着ボトム１の第１ボトム２は、前面側及び後面側の双方において、着用状態で両脚に沿って伸びて大腿部の一部を覆う。また、水着ボトム１の第２ボトム３の前身頃パーツ１１及び脚部パーツ１６も、着用状態で両脚に沿って伸びて大腿部の一部を覆う。このように、水着ボトム１によれば、臀部のみならず大腿部も第１及び第２ボトム２、３によって覆われる。そのため、水着ボトム１は臀部に対する造形機能だけでなく、大腿部に対する造形機能をも有する。したがって、水着ボトム１は、高い造形効果を発揮することが可能となる。
【００４１】
水着ボトム１の第２ボトム３には、それぞれ緊締力の異なる左及び右上部パーツ１３ａ、１３ｂ、左及び右下部パーツ１４ａ、１４ｂ、並びに引き上げパーツ１５が含まれながら、これらは一体に編まれている。そのため、これらのパーツ間には縫い目がない。したがって、水着ボトム１では、水着として着用した時に第２ボトム３に含まれるパーツ間の縫い目が表に浮き出て、外観が損なわれることが抑制可能となる。
【００４２】
さらに、水着ボトム１の第２ボトム３に含まれる腹部パーツ１２は、前身頃パーツ１１の一部として、前身頃パーツ１１と一体に編まれている。そのため、前身頃パーツ１１と腹部パーツ１２との間に縫い目がない。したがって、水着ボトム１では、水着として着用時に第１ボトム２に含まれるパーツ間の縫い目が表に浮き出て、外観が損なわれることが抑制可能となる。
【００４３】
水着ボトムで１では、第２ボトム３の脚部パーツ１６は、第１ボトム２と縫合されていない。すなわち、第２ボトム３は、着用状態における脚部側で第１ボトム２と一部において縫合されていない。したがって、第１ボトムと第２ボトムとの間に侵入した水は、縫合されていない箇所から外に流れ出ることができる。そのため、水着ボトム１は水切れがよく、良好な着用感を実現することができる。
【００４４】
これらの結果、水着ボトム１は、外観を損なうことなく造形機能を保持するとともに、水切れがよく良好な着用感を実現することが可能となる。
【００４５】
また、第１ボトム２と第２ボトム３の脚部パーツ１６とが縫合されていないことから、第１ボトム２の下部に第２ボトム３との縫合による縮みが現れることもない。そのため、第１ボトム２の下部においてしわが発生しにくく、水着ボトム１の外観が損なわれることが抑制される。
【００４６】
水着ボトム１では、股下パーツ１７によって第２ボトム３が第１ボトム２と縫い合わされている。すなわち、着用状態における脚部側で、第１ボトム２と第２ボトム３とが一部において縫合されている。そのため、水着ボトム１では、水切れの良さによって良好な着用感を実現しつつ、第１ボトム２と第２ボトム３とが着用時にずれることが好適に抑制されている。
【００４７】
水着ボトム１の前身頃パーツ１１及び脚部パーツ１６が両脚に沿って伸びる長さは、第１ボトム２が両脚に沿って伸びる長さよりも短い。すなわち、着用状態における脚部側で、第２ボトム３が第１ボトム２より短く、第２ボトム３の脚部側縁部３ｅは第１ボトム２の脚部側縁部２ｅより大腿部の上部に位置する。このように内側に形成された第２ボトム３の長さが表側の第１ボトム２の長さよりも短いため、第２ボトム３の脚部側縁部３ｅによって締め付けられる箇所というのが第１ボトム２の脚部側縁部２ｅによって締め付けられる箇所よりも大腿部の太い部分となる。そのため、第２ボトム３の脚部側縁部３ｅによって大腿部を締め付ける力が、第１ボトム２の脚部側縁部２ｅによって大腿部を締め付ける力よりも強くなる。その結果、第２ボトム３によって、臀部及び大腿部がより一層上に引き上げられる。
【００４８】
水着ボトム１の第２ボトム３は、着用状態で腹部を覆う腹部パーツ１２を含む。腹部パーツ１２は、腹部パーツ１２に連続する前身頃パーツ１１よりも緊締力が大きい。このような構成により、腹部のふくらみは効果的に押さえられることとなる。その結果、水着ボトム１では、腹部の造形を美しく見せることが可能となる。
【００４９】
本発明による水着ボトムは、上記した実施形態及び構成例に限られるものではなく、様々な変形が可能である。例えば、第２ボトム３の前面側３Ａの構成は、本実施形態で示したように前身頃パーツ１１と腹部パーツ１２とによるものでなくてもよい。また、第１及び第２ボトム２、３は、着用状態で両脚に沿って伸びて大腿部の一部を覆っていなくてもよい。
【００５０】
また、第２ボトム３が股下パーツ１７を有さず、着用状態における脚部側で第１ボトム２と第２ボトム３とが縫合されている箇所を有していなくてもよい。この場合、水切れがさらに良くなる。また、着用状態における脚部側で、第２ボトム３が第１ボトム２より短くなくてもよく、第１及び２ボトム２、３が同じ長さであっても、あるいは第２ボトム３が第１ボトム２より長くてもよい。
【００５１】
第２ボトム３は、着用状態で腹部を覆う腹部パーツ１２を有していなくてもよい。また、腹部パーツ１２の緊締力が前身頃パーツ１１の緊締力より大きくなくてもよい。
【００５２】
また、第１ボトム２と第２ボトム３との縫合箇所は、本実施形態による縫合箇所と異なっていてもよく、縫合箇所数も本実施形態による縫合箇所数に限られない。
【図面の簡単な説明】
【００５３】
【図１】着用状態における実施形態に係る水着ボトムの第１ボトム側の前面側を示す図である。
【図２】実施形態に係る水着ボトムの第２ボトム側の前面側を示す図である。
【図３】実施形態に係る水着ボトムの第２ボトム側の後面側を示す図である。
【図４】実施形態に係る水着ボトムの第２ボトム側の斜視図である。
【図５】実施形態に係る水着ボトムの第２ボトムの前面側が配置された第１丸編み地を示す。
【図６】実施形態に係る水着ボトムの第２ボトムの後面側が配置された第２丸編み地を示す。
【図７】実施形態に係る水着ボトムの第２ボトムの前面側が配置された第１丸編み地が裁断された状態を示す。
【図８】実施形態に係る水着ボトムの第２ボトムの後面側が配置された第２丸編み地が裁断された状態を示す。
【符号の説明】
【００５４】
１…水着ボトム、２…第１ボトム、３…第２ボトム、１１…前身頃パーツ、１２…腹部パーツ、１３ａ…左上部パーツ、１３ｂ…右上部パーツ、１４ａ…左下部パーツ、１４ｂ…右下部パーツ、１５…引き上げパーツ、１５Ａ…臀裂部被覆領域、１５Ｂ…臀部サポート領域、１６…脚部パーツ、１７…股下パーツ、Ｆ１…第１丸編み地、Ｆ２…第２丸編み地
【図１】
2007107163.tif 000003
【図２】
2007107163.tif 000004
【図３】
2007107163.tif 000005
【図４】
2007107163.tif 000006
【図５】
2007107163.tif 000007
【図６】
2007107163.tif 000008
【図７】
2007107163.tif 000009
【図８】
2007107163.tif 000010